(57)【要約】      （修正有）【課題】補聴器に比べ大きな大きさのバックバンドを常時接続し、補聴器を安定した状態で使用でき、バックバンドを利用したままで補聴器を使えるようにしていることで、補聴器を耳から取り外した場合でも、補聴器だけの場合に比べ十分な大きさがあるので紛失しにくい補聴器紛失防止具を提供する。【解決手段】一端が耳の上方に位置し後頭部付近を迂回して他端が他方の耳の上方に位置して伸びる湾曲したバックバンド１０と、補聴器４とバックバンド１０の端部付近とを連結する連結具２０とを備える。【選択図】図１
0003197525.tif 000002
【実用新案登録請求の範囲】
【請求項１】
補聴器の紛失を防止するための補聴器紛失防止具において、
一端が耳の上方に位置し後頭部付近を迂回して他端が他方の耳の上方に位置して伸びる湾曲したバックバンドと、
該補聴器と該バックバンドの端部付近とを連結する連結部材とを備えることを特徴とする補聴器紛失防止具。
【請求項２】
前記連結部材が、前記補聴器から伸びた紐材を、前記バックバンドの端部付近に連結するための連結具であることを特徴とする請求項１記載の補聴器紛失防止具。
【請求項３】
前記連結具が、前記バックバンドの端部付近から垂下する略棒状で、
該連結具の下端に、前記補聴器から伸びた紐材を連結することを特徴とする請求項２記載の補聴器紛失防止具。
【請求項４】
前記連結部材が、前記バックバンドの端部付近に設けられ、前記補聴器自体を保持する保持具であることを特徴とする請求項１記載の補聴器紛失防止具。
【考案の詳細な説明】
【技術分野】
【０００１】
本考案は、補聴器の紛失を防止するための補聴器紛失防止具に関する。
【背景技術】
【０００２】
従来より、高齢者が補聴器を紛失しないようにするための方法として、いくつかの方法が提案されている。例えば、特許文献１に示される耳かけ型補聴器では、落下や紛失防止用のコードであるストラップを取り付ける貫通孔を、ケースの端部または背面に設けている。
【０００３】
また、特許文献２の補聴器ホルダーは、横断面が上下方向に長い陸上競技のトラック型の筒状部材で形成されたホルダー本体を有し、ホルダー本体は、拡張することにより、内部に補聴器本体を収容し、その弾性力によって補聴器本体を保持する構造で、ホルダー本体の一方の側面に、ホルダー本体を眼鏡の先セル部に取り付けるための取付部材が設けられ、ホルダー本体の少なくとも他方の側面に、補聴器の操作部材を操作しやすくするため、補聴器の集音性能を損ねないようにするための開口が形成されている。
【先行技術文献】
【特許文献】
【０００４】
【特許文献１】特開２０１０−７４５０９号公報
【特許文献２】特開２０１３−４８３１４号公報
【考案の概要】
【考案が解決しようとする課題】
【０００５】
しかしながら、従来の補聴器に単にストラップを付けた構造では、ストラップを付けた状態で補聴器を紛失する場合がある。また、ストラップが弛んで、他の物に引っ掛かったり、不安定な場合がある。さらに、耳掛けタイプの補聴器の場合、ストラップでは補聴器本体を固定するのが難しく、ずれて耳から外れる恐れがある。
【０００６】
また、従来の補聴器をメガネに保持させる構造では、メガネだけを使いたい場合などに、メガネから補聴器を外してしまい、結果としてメガネから外した補聴器を紛失してしまうことも考えられる。また、メガネを使用しない人では、使用できない。
【０００７】
本考案は、このような事情に鑑みてなされたもので、補聴器に比べ大きな大きさのバックバンドを常時接続し、補聴器を安定した状態で使用でき、バックバンドを利用したままで補聴器を使えるようにしていることで、補聴器を耳から取り外した場合でも、補聴器だけの場合に比べ十分な大きさがあるので紛失しにくい補聴器紛失防止具を提供することにある。
【課題を解決するための手段】
【０００８】
請求項１記載の補聴器紛失防止具は、一端が耳の上方に位置し後頭部付近を迂回して他端が他方の耳の上方に位置して伸びる湾曲したバックバンドと、補聴器とバックバンドの端部付近とを連結する連結部材とを備えることを特徴とする。
【０００９】
請求項２記載の補聴器紛失防止具は、連結部材が、補聴器から伸びた紐材を、バックバンドの端部付近に連結するための連結具であることを特徴とする。
【００１０】
請求項３記載の補聴器紛失防止具は、連結具が、バックバンドの端部付近から垂下する略棒状で、連結具の下端に、補聴器から伸びた紐材を連結することを特徴とする。
【００１１】
請求項４記載の補聴器紛失防止具は、連結部材が、バックバンドの端部付近に設けられ、補聴器自体を保持する保持具であることを特徴とする。
【考案の効果】
【００１２】
本願の考案によれば、補聴器に比べ大きな大きさのバックバンドを常時接続し、補聴器を安定した状態で使用でき、バックバンドを利用したままで補聴器を使えるようにしていることで、補聴器を耳から取り外した場合でも、補聴器だけの場合に比べ十分な大きさがあるので補聴器を紛失しにくい。
【図面の簡単な説明】
【００１３】
【図１】本考案に係る補聴器紛失防止具の一例を示す説明図である。
【図２】同補聴器紛失防止具の使用状態を示す説明図である。
【図３】本考案に係る補聴器紛失防止具の他の例を示す説明図である。
【考案を実施するための形態】
【００１４】
以下、図を用いて説明する。図１は、本考案に係る補聴器紛失防止具の一例を示す説明図である。図２は、同補聴器紛失防止具の使用状態を示す説明図である。
【００１５】
図１及び図２に示す補聴器紛失防止具１は、補聴器４の紛失を防止するためのものである。補聴器紛失防止具１は、バックバンド１０、連結具２０等から構成されている。バックバンド１０は、一端が耳Ｅの上方に位置し後頭部Ｈ付近を迂回して他端が他方の耳Ｅの上方に位置して伸びる湾曲した形状のものである。図のバンクバンド１０は、薄板状で帯状になっており、軽い弾力性のある素材で作られているが、これに限られたものではないが、後頭部Ｈにフィットしやすく着脱も容易になるので、このようなバックバンド１０が好ましい。バックバンド１０が、軽く弾力性のある素材であることで、装用感も良く、長時間の使用も可能である。
【００１６】
連結具２０は、補聴器４とバックバンド１０の端部付近とを連結する連結部材であり、補聴器４から伸びた紐材であるテグス４ａを、バックバンド１０の端部付近に連結するためのものである。連結具２０は、上部に水平方向にバックバンド１０に嵌まり込む孔を有し、バックバンド１０の端部付近に固定された状態で、バックバンド１０の端部付近から垂下する略棒状である。尚、連結具２０は、バックバンド１０から着脱自在にしてもよいし、バックバンド１０に固定されていても良いが、着脱自在で且つ位置が移動させられる構造が好ましい。
【００１７】
そして、連結具２０の下端から、紐材である連結紐２２が伸び、連結紐２２の下端が円環部２２ａになっており、その円環部２２ａに、さらに円環紐２４が設けられている。そして、連結紐２２の円環部２２ａと円環紐２４の円環部２４ａが、接続され、円環紐２４の非円環部側には、補聴器４のテグス４ａと連結するためのテグス連結部２４ｂがあり、円環紐２４が、テグス４ａに接続されている。尚、補聴器４のテグス４ａを、連結具２０の下端に直接接続するようにしてもよい。バックバンド１０から取りはずし、メガネに連結具２０を装着して用いることも可能である。
【００１８】
このように、連結紐２２を、直接補聴器４のテグス４ａに接続しても良いが、円環紐２４を介すことで、より自由な動きを実現している。尚、連結紐２２の長さは、任意で、耳Ｅ位置等の関係で図２に示される程度の長さにしても良いし、長くして耳Ｅに掛け回すようにしてもよい。
【００１９】
上述の補聴器４は、補聴器４ごと耳Ｅに挿入して使用するタイプであるが、図３に示す補聴器６のように、補聴器本体６ａを耳Ｅの後ろ側に配して、耳せん部６ｂを耳Ｅに挿入するタイプの場合には、補聴器紛失防止具１を使用することは可能とはいえ、使用しにくいと考えられる。そこで、図３に示すような補聴器紛失防止具２を用いることが好ましい。
【００２０】
図３は、本考案に係る補聴器紛失防止具の他の例を示す説明図である。図３に示す補聴器紛失防止具２は、バックバンド１０、保持具３０から構成されている。バックバンド１０は、上述の通りである。
【００２１】
保持具３０は、補聴器６とバックバンド１０の端部付近とを連結する連結部材であり、補聴器６の補聴器本体６ａを、保持するためのものである。保持具３０は、上部に水平方向にバックバンド１０に嵌まり込む孔を有し、バックバンド１０の端部付近に固定された状態で、バックバンド１０の端部付近から垂下する略棒状である。尚、保持具３０は、バックバンド１０から着脱自在にしてもよいし、バックバンド１０に固定されていても良いが、着脱自在で且つ位置が移動させられる構造が好ましい。
【００２２】
そして、保持具３０には、２箇所のＣ字状の保持アーム３２，３４が設けられており、この保持アーム３２，３４で、補聴器本体６ａを着脱自在に保持する。尚、保持具３０の補聴器本体６ａの保持方法は、任意である。
【００２３】
以上のように構成され使用される補聴器紛失防止具１，２によれば、補聴器４，６に比べ大きな大きさのバックバンド１０を常時接続し、補聴器４，６を安定した状態で使用でき、バックバンド１０を利用したままで補聴器４，６を使えるようにしていることで、補聴器４，６を耳から取り外した場合でも、補聴器４，６だけの場合に比べ十分な大きさがあるので補聴器４，６を紛失しにくい。また、耳Ｅの後ろにて補聴器４，６を装着するので、顔の正面からは目立ちにくい。
【産業上の利用可能性】
【００２４】
本考案により、補聴器に比べ大きな大きさのバックバンドを常時接続し、補聴器を安定した状態で使用でき、バックバンドを利用したままで補聴器を使えるようにしていることで、補聴器を耳から取り外した場合でも、補聴器だけの場合に比べ十分な大きさがあるので紛失しにくい補聴器紛失防止具を提供することができる。
【符号の説明】
【００２５】
１・・・・・補聴器紛失防止具
２・・・・・補聴器紛失防止具
４・・・・・補聴器
４ａ・・・・テグス
６・・・・・補聴器
６ａ・・・・補聴器本体
６ｂ・・・・耳せん部
１０・・・・バックバンド
２０・・・・連結具
２２・・・・連結紐
２２ａ・・・円環部
２４・・・・円環紐
２４ａ・・・円環部
２４ｂ・・・テグス連結部
３０・・・・保持具
３２・・・・保持アーム
３４・・・・保持アーム
【図１】
0003197525.tif 000003
【図２】
0003197525.tif 000004
【図３】
0003197525.tif 000005